(57)【要約】      （修正有）【課題】目標日に向かってのカウントダウンを容易に行えるとともに繰り返しの利用が可能で、シンプルでコンパクトな構造のカウントカレンダーを提供する。【解決手段】日捲りカウントカレンダー１０は、０〜９の内いずれか一つの一桁の数字が記され且つ夫々異なる数字が記された１０枚のカード１００と、この１０枚のカード１００を降順または昇順に捲れるように束ねて１セットとし、少なくとも３セットをその上部にて各セットが独立して回転自在となるよう並列に設けた日数カウンター部１２０と、この日数カウンター部１２０の下方部位に任意に設けられ、書字および字消し可能な自由記入領域部１４０とから構成される。【選択図】図１
0003229097.tif 000002
【実用新案登録請求の範囲】
【請求項１】
０〜９の内いずれか一つの一桁の数字が記され且つ夫々異なる数字が記された１０枚のカードと、
この１０枚のカードを降順または昇順に捲れるように束ねて１セットとし、少なくとも３セットをその上部にて各セットが独立して回転自在となるよう並列に設けた日数カウンター部と、
この日数カウンター部の下方部位に任意に設けられ、書字および字消し可能な自由記入領域部とから構成されることを特徴とする日めくりカウントカレンダー。
【考案の詳細な説明】
【技術分野】
【０００１】
本考案は、設定した目標日までの日数をカウントダウン表示できる、または継続日をカウントアップ表示できるカウントカレンダー、特に日捲り方式にて日数をカウントダウン表示／カウントアップ表示できる日捲りカウントカレンダーに関する。
【背景技術】
【０００２】
従来、任意に設定した目標日や資格試験等の予め定められた受験日までの日数を日々数えたりカウントダウンすること、また勉強の継続日をカウントアップすることについては、パソコンのソフトウェアやスマートフォンのアプリケーション・ソフトを含めて種々のカウント方法が提案されている。
【０００３】
下記特許文献１には、出産予定日までの残り日数を今日現在の日付と連動させてカウントダウン方式にて表示させるようにしたカウントダウン式出産カレンダーが開示されている。このものにあっては、出産予定日までの残り日数を現在の日付と連動させカウントダウン式に１枚ずつ表示した多数枚の日数表示カードと、残り日数を外部から認識できるように日数表示カードを収納した本体部、および本体部を相対的に回動させた状態で支持可能であって本体部に閉蓋可能な蓋部を備えたケースとから構成したことを特徴としたものである。
【０００４】
また、下記特許文献２には目標の日（行事）に向かって、１枚ずつ数字を減らし切り取っていく日捲り方式のカウントダウンカレンダーが開示されている。このものにあっては、厚紙の正面に逆算した数字を書いた紙を重ねて綴じて、最後の紙を当日とし、逆算して数えた所の数字（日）からスタートして使用することを特徴としたものである。
【０００５】
さらに、下記特許文献３には、２回の受験に使用可能な受験用日捲りカレンダーが開示されている。このものにあっては、台座の表面に３６５枚以上の日捲り用枚葉紙束を取り付けた日捲りカレンダーにあって、使用者が受験する第１目標試験名Ａ、２目標試験名Ｂの択一的な記入用空白欄を台座の表面に設ける一方、実際の日付から第１目標試験名Ａの受験日までカウントダウンした残りの日数と、その第１目標試験名Ａの受験日からこれよりも後日となる第２目標試験名Ｂの受験日までカウントダウンした残りの追加日数とを、枚葉紙束の１枚ずつ日捲り順序に応じて印刷したことを特徴としたものである。
【先行技術文献】
【特許文献】
【０００６】
【特許文献１】特開平１０−２４６７２号公報
【特許文献２】実用新案登録第３０７４５７７号公報
【特許文献３】実用新案登録第３１４５２００号公報
【考案の開示】
【考案が解決しようとする課題】
【０００７】
特許文献１に開示されたものは、出産予定日までの残り日数を現在の日付と連動させてカウントダウン方式で表示させるようにしたものではあるが、日数表示カードは、１日過ぎる毎に１枚ずつ取り去って順送りに後ろへ送っていくものである。また、日数表示カードの余白等に日々のメモを書き加えることも可能として、出産後はケースの蓋を閉じて半永久的に出産の記念として保存可能としたものである。従って、繰り返しての利用には不向きである。また、出産までの日数は３００日程度であるので、日数表示カードも３００枚程度が用意されれば充分である。このため、他のカウントダウンやカウントアップへの適用は難しく、また、そのような思想・発想は見出せないものである。
【０００８】
特許文献２に開示されたものは、１枚ずつ数字を減らし切り取っていく日捲り方式のカウントダウンカレンダーであるので、繰り返しての利用は不可能である。また、繰り返して再利用するというような思想・発想は見出せないものである。しかも、ある特定の目標の度に都度個別に逆算した数字を用意してセットする必要があり、手間暇を要するもので煩わしいものである。
【０００９】
特許文献３に開示されたものは、特定の２回の連続する受験に使用可能なカウトダウン方式の日捲りカレンダーではあるが、目標試験名の受験日までカウントダウンした残りの日数を印刷した枚葉紙束を用意する必要がある。また、カウトダウンに際しては、１枚ずつ数字を減らすべく枚葉紙を切り取っていく必要がある。従って、特定の２回の連続する受験以外への利用には不向きであり、そのような思想・発想は見出せないものである。しかも、ある特定の連続する受験の度に都度個別に逆算した数字を用意してセットする必要があり、手間暇を要するもので煩わしいものでもある。
【００１０】
そこで、本考案は上記事情を考慮してなされたもので、上述した不具合を解消し、目標日に向かってのカウントダウンまたは継続日のカウントアップを誰でも容易に行えるとともに、繰り返しの利用が可能な日捲りカウントカレンダーを提供することを目的とする。
また、本考案は、メモ等の自由な記載も可能な使い勝手がよく、実用的な日捲りカウントカレンダーを提供することを目的とする。
さらに、本考案は、シンプルでコンパクトな構造で生産性および経済性に優れる日捲りカウントカレンダーを提供することを目的とする。
【課題を解決するための手段】
【００１１】
本考案は、上記目的を達成するために以下の通りの構成とすることを特徴とする。
【００１２】
０〜９の内いずれか一つの一桁の数字が記され且つ夫々異なる数字が記された１０枚のカードと、この１０枚のカードを降順または昇順に捲れるように束ねて１セットとし少なくとも３セットをその上部にて各セットが独立して回転自在となるよう並列に設けた日数カウンター部と、この日数カウンター部の下方部位に任意で設けられ書字および字消し可能な自由記入領域部とから構成されるようにしたことを特徴とする。
【００１３】
上記構成によれば、目標日へのカウントダウンまたは継続日のカウントアップを誰でも容易に行えてメモ等の自由記載も可能とし、しかも繰り返しの利用が可能なので、使い勝手がよい実用的な効果を奏する。
【００１４】
また、上記構成によれば、極めてシンプルでコンパクトな構造なので、見栄えもよく、生産面および経済面に於いて優位となるものである。
【考案の効果】
【００１５】
本考案によれば、誰でも容易にカウントダウンまたはカウントアップを行えるとともにメモ等の自由記載も可能とし、しかも繰り返しの利用が可能なので、便利で使い勝手がよい実用的に有用な効果を奏するものである。
また、本考案によれば、極めてシンプルでコンパクトな構造で実現できるので、生産面は勿論、経済面に於いても優れるという効果を奏するものである。
【図面の簡単な説明】
【００１６】
【図１】本考案の一実施形態に係わる日捲りカウントカレンダーの全体の概略構成を模式的に示す図である。
【図２】同実施形態に係わり、カードを仮想線にて表した日捲りカウントカレンダーの全体の概略構成を模式的に示す図である。
【図３】同実施形態に係わり、１セットに束ねられるカードを模式的に示す図である。
【図４】同実施形態に係わり、日捲りカウントカレンダーの使用状態を例示する図である。
【図５】同実施形態の変形例に係わり日捲りカウントカレンダーの全体の概略構成を模式的に示す図である。
【図６】同実施形態の他の変形例に係わり日捲りカウントカレンダーの全体の概略構成を模式的に示す図である。
【考案を実施するための形態】
【００１７】
以下本考案の一実施形態につき、図面を参照して説明する。
【００１８】
本実施形態に係わる日捲りカウントカレンダー（以下「カレンダー」と称す）１０は、０〜９の内いずれか一つの一桁の数字が記され且つ夫々異なる数字が記された１０枚の長辺の長さをＬで短辺の長さがＳの平面が長方形状のカード１００と（図３参照）、この１０枚のカード１００を降順または昇順に捲れるよう束ねられて１セットとして３セットをその上部にて各セットが独立して回転自在となるよう並列に設けた日数カウンター部１２０と、この日数カウンター部１２０の下方部位に設けられ書字および字消し可能な自由記入領域部１４０とから構成されている。
【００１９】
ここで、並列に設けられた３セットのカードの束は、一の位領域１２０ａには１セット目が、即ち図１および図２中、右側に位置する１セットが一の位の数字として機能し、十の位領域１２０ｂには２セット目が、即ち図１および図２中、中央に位置する１セットが十の位の数字として機能する。そして、百の位領域１２０ｃには３セット目が、即ち図１および図２中、左側に位置する１セットが百の位の数字として機能する。而して、最長９９９日前からのカウトダウンを可能にしている。また、各セットのカードは、その上部が製本用綴じ具、例えばルーズリング１６０に夫々が独立して回転自在に捲ることができるよう設けられている。なお、各セットのカードは、その上部にて回転自在に捲ることができるような機構であれば、他のものを用いてもよいことは勿論である。
【００２０】
自由記入領域部１４０は、ルーズリング１６０に回転自在となるよう設けられた、横方向（即ち水平方向）の長さが３Ｓで縦方向（即ち垂直方向）の長さが３Ｌ＋Ｓの平面が四角形上のホワイトボード機能を有する基台１０ａの下部領域に設けられている（図２参照）。この自由記入領域部１４０は任意で設けることができる。
【００２１】
なお、基台１０ａは、カレンダー１０の使用開始時や未使用時は、３セットのカード束の最背面に位置するよう構成してある。
【００２２】
なお、各カード１００や基台１０ａの形状や寸法は上記に限定されることなく、適宜変更可能なことは勿論である。また、その材質も任意に選択可能であることも勿論である。
【００２３】
上記構成につき、その作用を以下に説明する。
【００２４】
目標日に向かってのカウントダウンを開始するに当たっては、先ず、カレンダー１０のカウントダウン開始日から目標日までの日数を算出し、算出した日数を日数カウンター部１２０にセットする。即ち、各セットされたカード束の中から該当するものを選出して数字をセットする。
【００２５】
例えば算出した日数が３２１日であれば、百の位領域１２０ｃには数字３が記されたカード１００が表示されるように、十の位領域１２０ｂには数字２が記されたカード１００が表示されるように、そして一の位領域１２０ａには数字１が記されたカード１００が表示されるようセットする。
【００２６】
カウトダウン開始日から日毎に一の位領域１２０ａから一枚ずつカードを捲り、一つずつ数字を減じていくことになる。
【００２７】
例えば、カウトダウン開始日から１日経過すると、一の位領域１２０ａに存するカード１００を矢印Ａ方向に捲り数字０が記されたカード１００を表示させることになる（図４参照）。
【００２８】
そして、１０日経過毎に十の位領域１２０ｂから一枚ずつカードを捲り、一つずつ数字が減じられる。このとき、一の位領域１２０ａはカウントダウン開始日のときと同じ数字となり、翌日以降は降順に捲られることになる。
【００２９】
さらに、１００日経過毎に百の位領域１２０ｃから一枚ずつカードを捲り、
このとき、一の位領域１２０ａと十の位領域１２０ｂはカウンダウン開始日のときと同じ数字となり、翌日以降は降順に捲られることになる。
【００３０】
なお、一の位領域１２０ａや十の位領域１２０ｂに表示される数字が０になった場合は、数字９が記されたカード１００が先頭になるよう１０枚１セットのカードの束の状態に整えて、カウントダウンを続行することになる。
【００３１】
さて、カレンダー１０によるカウントダウン開始前や使用中に、例えば目標に対するコメントやメモを書き留めておく場合は、自由記入領域部１４０にホワイトボードマーカ−等で書字すればよいものである。また、書字が不要となった場合は、イレーザーで字消しをすればよい。
【００３２】
カウントダウンが終了した場合、捲られたカード１００を元通りにして、即ち数字９が記されたカード１００が先頭になるよう１０枚１セットのカードの束の状態に整えて日数カウンター部１２０を初期状態にする。また、自由記入領域部１４０に記載された書字等を消して同様に初期状態にする。而してあらたな目標に向かってのカレンダー１０によるカウントダウンが可能となる。
【００３３】
上記実施形態によれば、目標日へのカウントダウンを誰でも容易に行えてメモ等の自由記載も可能とし、しかも繰り返しの利用が可能なので、使い勝手がよく実用的な有用なカレンダー１０を提供できるものである。
【００３４】
また、上記実施形態によれば、極めてシンプルでコンパクトな構造なので、生産面および経済面に於いて優位となるものである。また、見栄えもよく、誰でも違和感なく使用できるという効果を期待できるものである。
【００３５】
本考案は上記実施形態に限定されるものではなく、本考案の要旨を逸脱しない限り種々の変形が可能なことは勿論である。例えば、本実施形態ではカード１００のセットの最前面が９となるよう構成しているが、最前面を０とし、差背面が９となるように構成してもよい。
【００３６】
例えば、上記実施形態の変形例の一つを図５に示す。上記実施形態と同一部分および／または同一機能については、同一符号を付して当該箇所の説明は省略する。図５に示すように、本変形例では、あらたに千の位領域１２０ｄを設けて１セットのカードの束を設定し、最長９，９９９日前からのカウントダウンを可能としたものである。
【００３７】
また、例えば上記実施形態の他の変形例の一つを図６に示す。上記実施形態と同一部分および／または同一機能については、同一符号を付して当該箇所の説明は省略する。図６に示すように、本変形例では、万の位領域１２０ｅと千の位領域１２０ｄを設けて夫々の領域１２０ｅ，１２０ｄに１セットのカードの束を設定し、最長９９，９９９日前からのカウントダウンを可能としたものである。
【００３８】
上記実施形態および変形例に於いては、降順によるカウトダウンを述べたが、昇順によるカウントアップ方式にも適用可能であることは勿論であり、本考案の要旨の範囲内である。
【符号の説明】
【００３９】
１０                                  …日捲りカウントカレンダー
１０ａ                                …基台
１００                                …カード
１２０                                …日数カウンター部
１２０ａ                              …一の位領域
１２０ｂ                              …十の位領域
１２０ｃ                              …百の位領域
１２０ｄ                              …千の位領域
１２０ｅ                              …万の位領域
１４０                                …自由記入領域部
１６０                                …ルーズリング
【図１】
0003229097.tif 000003
【図２】
0003229097.tif 000004
【図３】
0003229097.tif 000005
【図４】
0003229097.tif 000006
【図５】
0003229097.tif 000007
【図６】
0003229097.tif 000008